(57)【要約】【技術課題】  設置性が良く、簡単に本体ポールの着脱ができ、鞘管内に泥等が溜まっても正しい高さに本体ポールを立てることができると共にスノーポール視線誘導標を用いて安定して立てることができる視線誘導標を提供する。【解決手段】  円筒状の鞘管１内に泥等が入り込んでも影響されない高さに係合手段としてのボルト３を取り付けると共に、前記鞘管１を埋設したのち、この鞘管１内に本体ポール４を挿入し、かつ前記本体ポール４の下端に形成した係合溝６を前記ボルト３に係合させて本体ポール４を鞘管１に取り付ける。また、スノーポール７を立てる場合は、本体ポール４及び鞘管１の外から地面に届くまでその外挿部７ａを外挿する。【選択図】        図  ２
0003114882.tif 000002
【実用新案登録請求の範囲】
【請求項１】
底を開放した円筒状の鞘管内に泥等が入り込んでも影響されない高さに係合手段を取り付け、頭部に反射板等を取り付けた本体ポールの下端に係合溝を形成し、本体ポールを前記鞘管内に挿し込んで前記係合溝を係合手段に係合させることにより、本体ポールを常に正しい高さに、簡単に取り付けることができるように構成して成る視線誘導標。
【請求項２】
前記係合溝は、クランク状に形成されていることを特徴とする請求項１に記載の視線誘導標。
【請求項３】
前記係合手段は、鞘管内を水平方向に貫通するボルト又は棒状体から成ることを特徴とする請求項１に記載の視線誘導標。
【請求項４】
前記鞘管及び本体ポールは、樹脂又は金属から成ることを特徴とする請求項１又は２に記載の視線誘導標。
【請求項５】
前記反射板等は、視線誘導標にスノーポールを外挿するときに、障害とならない大きさに形成されていることを特徴とする請求項１又は２又は３又は４に記載の視線誘導標。
【考案の詳細な説明】
【技術分野】
【０００１】
本考案は、道路や駐車場、あるいは自動車が出入りする施設等において、自動車の運転者の視線を誘導することにより走行の安全を図る視線誘導標に関するものである。
【背景技術】
【０００２】
従来の視線誘導標の構造とこの設置例を図５〜図８に基づいて説明する。
図５、図６は、地中等に埋設された円筒状の鞘管１００に対し、上端に反射板１０２を取り付けた本体ポール１０１の下端側を挿入すると共に、前記鞘管１００の上部に設けたボルト孔１０５と、本体ポール１０１側のボルト孔１０６の位置合わせを行い、その上でボルト１０３を前記ボルト孔１０５、１０６内に串刺し状に挿入したのち、ナット１０４を締め付けて本体ポール１０１を鞘管１００に固定するという設置方向を採用する視線誘導標である。
しかし、この従来例の場合、鞘管１００内に本体ポール１０１を挿入したのち、ボルト孔１０５と１０６の位置合わせを行い、その上でボルト孔１０５、１０６内にボルト１０３を通し、ナット１０４をボルト１０３の先端にスパナ等の工具を用いて締め付けるため、設置時は勿論のこと、本体ポール１０１を取り外す際に手間と時間がかかる。
【０００３】
次に、図７、図８に示す視線誘導標は、鞘管１００の上端の入口１００ａの部分に縦向きにスリット１０７を入れておき、本体ポール１０１を鞘管１００内に挿入したのち、このスリット１０７部分に金属バンド１０８を捲きつけ、この金属バンド１０８を締付ボルト１０９とナット１１０で締め付けることにより、鞘管１００の入口１００ａ部分を収径させて本体ポール１０１を鞘管１００に固定するという設置例がとられる。
しかし、この従来例の場合、前記図５、図６の場合のように、ボルト孔１０５、１０６の位置合わせのような手間はかからないが、本体ポール１０１を固定するとき、あるいは取り外すときに、金属バンド１０８を捲きつけたり、ボルト１０９、ナット１１０を締め付けたりするのに手間と時間がかかり、更に、コストもかかる。また、鞘管１００の入口１００ａにスリット１０７を加工するため、この加工に手間とコストがかかる。
【０００４】
また、上記公知２例の場合、鞘管１００内の底部に泥が溜まったり、厳冬期に水が入って凍結したりすると、本体ポール１０１側を一旦取り外し、再挿入したときに、この底の泥等が邪魔してボルト１０５の位置合わせが出来なかったり、反射板１０２の高さが規定の高さを超えてしまうようになる。
また、視線誘導標を利用してスノーポールを立てるときに、ボルト１０３及び金属バンド１０８が邪魔してスノーポールを鞘管１００から地面のところまで外挿することができないため、立てたスノーポールが不安定になる。
【考案の開示】
【考案が解決しようとする課題】
【０００５】
本考案は斯る欠点のない視線誘導標を提供するのが目的であって、設置に際して手間と時間がかからず、コストが安く、簡単に本体ポールの着脱を行うことができ、更に鞘管の底に泥等が入り込んで溜まったとしても、正しい高さ（位置）に本体ポールを立てることができ、更にスノーポールを視線誘導標を用いて立てるときに、鞘管から地面に接するまで外挿して安定を図ることができるように構成した点に特徴がある。
【課題を解決するための手段】
【０００６】
上記目的を達成するため、請求項１に記載の考案においては、視線誘導標において、底を開放した円筒状の鞘管内に泥等が入り込んでも影響されない高さに係合手段を取り付け、頭部に反射板等を取り付けた本体ポールの下端に係合溝を形成し、本体ポールを前記鞘管内に挿し込んで前記係合溝を係合手段に係合させることにより、本体ポールを常に正しい高さに、簡単に取り付けることができるように構成して成ることを特徴とするものである。
【０００７】
更に、請求項２に記載の考案においては、請求項１に記載の視線誘導標において、前記係合溝は、クランク状に形成されていることを特徴とするものである。
【０００８】
更に、請求項３に記載の考案においては、請求項１に記載の考案において、前記係合手段は、鞘管内を水平方向に貫通するボルト又は棒状体から成ることを特徴とするものである。
【０００９】
更に、請求項４に記載の考案においては、請求項１又は２に記載の考案において、前記鞘管及び本体ポールは、樹脂又は金属から成ることを特徴とするものである。
【００１０】
更に、請求項５に記載の考案においては、請求項１又は２又は３又は４に記載の視線誘導標において、前記反射板等は、視線誘導標にスノーポールを外挿するときに、障害とならない大きさに形成されていることを特徴とするものである。
【００１１】
［作用］
設置に際しては、先に鞘管を一定の深さまで埋設し、これに本体ポールを挿し込み、係合溝の入口を係合手段に合わせ、その上で更に少し挿し込み、次に本体ポールをクランク型の係合溝のロック部内に係合手段が位置するまで回転して係合させる。このようにすると、反射板の方向及び高さが定まり、本体ポールを鞘管に簡単に取り付けることができる。
本体ポールを取り外す場合には、先程と逆に本体ポールを回転し、ロックを外したのち、そのまま引き上げることで、本体ポールを鞘管から簡単に引き抜くことができる。
スノーポールを視線誘導標を用いて立てる時は、そのまま鞘管の外から地面に届くまで外挿する。
【考案の効果】
【００１２】
本考案に係る視線誘導標は、以上のとおり、鞘管側に係合手段を取付け、本体ポール側の下端に係合溝を形成したので、鞘管を先に地中等に埋設したのち、この鞘管内に本体ポールを挿し込んで少し回転させるだけで、簡単に本体ポールを鞘管に取り付けることができる。勿論、反対の手順で簡単に本体ポールを取り外すことができる。
よって、視線誘導標の設置に手間と時間がかからないと共に、金属バンドを用いたり、スリットを加工したりする必要がないため、部品点数が少なくなり、コストの低減が可能であると共に、スパナのような締め付け具をいちいち携帯する必要がない。
【００１３】
また、鞘管内の係合手段を通常では泥等が入り込んでも影響されない高さに設けることにより、例えば一旦取り外した後で本体ポールを立てる際に、仮に鞘管内に泥や雪等が入り込んでいても、本体ポールを正しい高さに立てることができる。
また、本体ポールは、除雪の邪魔になるときは、簡単に引き抜いて外すことができるため、数の多いこの種の視線誘導標の引き抜きの手間が省け、除雪作業の能率化を図ることができる。
また、積雪の多い場所において、視線誘導標を利用してスノーポールを立てる際に、鞘管の露出部分にボルトや金属バントといった邪魔物がないことから、スノーポールを鞘管の外から地面に接するまで外挿することができる。よって、立てたスノーポールは安定する。
【実施例】
【００１４】
図１〜図３に基づいて、本考案に係る視線誘導標の実施例を詳細に説明する。
図１は鞘管と本体ポールを分離した状態の説明図、図２は本体ポールを鞘管に取り付けた状態の正面図、図３は側面図であって、符号の１は、底１ｂを開放した円筒状から成る樹脂製の鞘管であって、この鞘管１の中央から下の位置には、鞘管１内に泥や雪等が入り込んでも影響されない高さに中心を貫通するように１本の係合ボルト２がナット３で固定されている。
【００１５】
４は中空の樹脂製本体ポールであって、この頭部にはスノーポールの外挿に支障がない大きさの両面反射体５が取り付けられている。６は本体ポール４の下端の開口部の縁から上方に向けて形成された係合溝であって、この係合溝６は、前記係合ボルト２が入る幅から成るクランク状を呈していて、この係合溝６は、本体ポール４の中心を挟む対称位置に形成されている。
なお、係合手段としての係合溝６は、クランク状以外にＩ字型、逆Ｌ字型としても良い。
【００１６】
上記構成の視線誘導標は、図２、図３に示すように、鞘管１を上端側が地上に少し露出するようにして垂直に埋設し、これに本体ポール４の下端側を鞘管１の入口１ａから挿入すると、本体ポール４の下端が係合ボルト２に当って止まる。
この状態で本体ポール４を左又は右方向に回転すると、クランク状の係合溝６の入口６ａが係合ボルト２に合致することにより、本体ポール４は係合溝６に沿って少し落ち込み、止まる。
そこで、本体ポール４を再び、クランク方向に回転すると、係合ボルト２は係合溝６のロック部６ｂ内に落ち込み、ロック状態となる。この結果、本体ポール４は鞘管１に固定されるので、作業を終える。
【００１７】
本体ポール４を引き抜いたり、本体ポール４或いは反射板５が損傷して交換する場合には、先程とは反射方向に本体ポール４を回転すると、クランク状の係合溝６と係合ボルト２との係合が外れる。この結果、本体ポール４を引き抜いて簡単に新品と交換することができる。
また、視線誘導標を用いてスノーポールを立てる際は、図４に示すように、本体ポール４から鞘管１の外を経由して地面にとどくまでスノーポール７の外挿部７ａを外挿する。
なお、本考案は、樹脂製の鞘管１と本体ポール４の例であるが、金属製にも本考案は適用可能であり、この金属製の視線誘導標の場合も本考案に含まれる。
また、本体ポール４には反射板５が取り付けられているが、この反射板５は標識の一例であり、他の標識或いは自発光式の標識が取り付けられる場合もあり、この本体ポール４に取り付けられる標識は特に限定されない。
また、上記実施例において、係合手段として係合ボルト２とナット３を用いたが、棒状体のものならば、その他の材質、断面形状のものであってもよい。
【図面の簡単な説明】
【００１８】
【図１】本考案に係る視線誘導標の説明図
【図２】設置した状態の正面図
【図３】設置した状態の側面図
【図４】スノーポールを視線誘導標に取り付けた状態の説明図
【図５】従来のボルト止め式視線誘導標の正面図
【図６】図５の側面図
【図７】従来の金属バンド止め式視線誘導標の正面図
【図８】図７の側面図
【符号の説明】
【００１９】
１  鞘管
２  ボルト
３  ナット
４  本体ポール
５  反射板
６  クランク状係合溝
６ａ  入口
６ｂ  ロック部
７  スノーポール
７ａ  外挿部
【図１】
0003114882.tif 000003
【図２】
0003114882.tif 000004
【図３】
0003114882.tif 000005
【図４】
0003114882.tif 000006
【図５】
0003114882.tif 000007
【図６】
0003114882.tif 000008
【図７】
0003114882.tif 000009
【図８】
0003114882.tif 000010